(57)【要約】【課題】バスバー等の配電部材と封口端子板との固定強度を高めることにより、振動に起因する断線の発生を防止することのできる電子部品を提供する。【解決手段】電子部品として例示した、電解コンデンサ１において、封口端子板５では、絶縁板５０の上面に、端子５１、５２の外側端部５１１、５２１と同一の高さ位置まで突出した突部５０１が形成されているので、端子５１、５２の上面にバスバー６２、６３をねじで固定した状態では、突部５０１の上面もバスバー６２、６３と接触した状態となる。このため、端子５１、５２に直接、伝わる振動が緩和される。【選択図】図１
2008010494.tif 000002
【特許請求の範囲】
【請求項１】
配電部材がねじにより電極端子に固定される電子部品において、
前記電極端子を備えた面が、該電極端子と同一の高さ位置まで突出する突部を備えていることを特徴とする電子部品。
【請求項２】
前記電極端子が前記突部で囲まれており、前記電極端子の上面は、前記突部の上面で露出していることを特徴とする請求項１に記載の電子部品。
【発明の詳細な説明】
【技術分野】
【０００１】
本発明は、電極端子にバスバー等の配電部材がねじ止めされる電子部品に関するものである。
【背景技術】
【０００２】
ねじ穴が形成された電極端子を有する各種の電子部品のうち、大形の電解コンデンサでは、図５（ａ）、（ｂ）に示すように、コンデンサ素子２がコンデンサケース３に収納されており、コンデンサケース３の開口部には封口端子板５が固定されている。
封口端子板５は、コンデンサケース３の開口部を塞ぐ円盤状の絶縁板５０と、この絶縁板５０の上面から外側端部が突出するように絶縁板５０に固着された２本の端子５１、５２とを備えている。
ここで、コンデンサ素子２から引き出された陰極用のリードタブ２６は、端子５２の内側端部に接続され、コンデンサ素子２から引き出された陽極用のリードタブ（図示せず）は、端子５１の内側端部に接続されている。端子５１、５２の上面にはねじ穴５１０、５２０が開口しており、バスバー等の配電部材をねじ止めすることが可能である。
【０００３】
このような大形の電解コンデンサ１の場合には、端子５１、５２とバスバーとの接続だけで電解コンデンサ１の重量を支えるのは不可能である。このため、図５に示す例では、コンデンサケース３の底部にねじ軸４を設け、ねじ軸４をシャーシに固定する構造が採用されている。
【０００４】
また、大形の電解コンデンサ１の場合、コンデンサ本体を環状の固定具を用いてシャーシに固定する方法も提案されている（例えば、特許文献１参照）。
【特許文献１】特開平６−１２００８２号公報
【発明の開示】
【発明が解決しようとする課題】
【０００５】
しかしながら、従来のいずれの方法を採用した場合でも、バスバー等の配電部材を端子５１、５２にねじ止めした状態では、バスバーと電解コンデンサ１との接触面積が狭いため、バスバーを介して端子５１、５２に過大な振動が加わったとき、またはコンデンサ本体に過大な振動が加わったとき、端子５１、５２とリードタブとの接続部分、またはリードタブ自身に過大な振動が発生する。
その結果、リードタブに金属疲労が発生し、断線するという問題点がある。かかる断線は、電解コンデンサ１にオープンを発生させるとともに、タブ同士が接触してショート状態になる時、火花が発生し、発火するなどの原因となる。
【０００６】
以上の問題点に鑑みて、本発明の課題は、バスバー等の配電部材と封口端子板との固定強度を高めることにより、振動に起因する断線の発生を防止することのできる電解コンデンサ等の電子部品を提供することにある。
【課題を解決するための手段】
【０００７】
上記課題を解決するために、本発明では、配電部材がねじにより電極端子に固定される電子部品において、前記電極端子を備えた面が、該電極端子と同一の高さ位置まで突出する突部を備えていることを特徴とし、また、前記電極端子が前記突部で囲まれており、前記電極端子の上面は、前記突部の上面で露出していることを特徴とする。
【０００８】
本発明では、端子の上面にバスバー等の配電部材を重ね、端子と配電部材とをねじ止めすると、絶縁板に形成した突部の上面も配電部材と接触した状態となる。このため、配電部材等を介して端子に振動が伝わる時、振動は絶縁板の突部にも伝わる。
従って、端子に直接、伝わる振動が緩和されるので、端子の内側端部とリード部材との接続部分、またはリード部材自身に金属疲労が発生せず、断線することがない。
【０００９】
本発明において、前記端子は、前記絶縁板に対して前記突部の形成領域に固着され、前記端子の上面は、前記突部の上面で露出していることが好ましい。
このように構成すると、端子に直接、伝わる振動がより緩和されるので、端子の電子部品内と電子部品の素子、例えばリード部材との接続部分、またはリード部材自身に金属疲労が発生せず、断線をより確実に防止することができる。
【発明の効果】
【００１０】
本発明では、端子に直接、伝わる振動を緩和できるので、端子の内側端部と素子との接続部や素子との接続部材、例えばリード部材との接続部分、またはリード部材自身に金属疲労が発生せず、断線をより確実に防止することができる。
【発明を実施するための最良の形態】
【００１１】
図面を参照して、本発明の実施の形態を説明する。なお、以下の説明においては、電子部品の例として電解コンデンサを挙げ、図５を参照して説明した電解コンデンサとの対応関係が明確となるように、図５に示す各要素と共通する要素については同一の符号を付して説明する。
【００１２】
（全体構成）
図１（ａ）、（ｂ）は、本発明を適用した電解コンデンサの部分断面図、およびこの電解コンデンサに用いた封口端子板の側面形状および平面形状を示す説明図である。
図２（ａ）、（ｂ）は、電解コンデンサに用いたコンデンサ素子の説明図、およびその組み立て方法を示す説明図である。なお、電解コンデンサでは絶縁スリーブが被覆されているが、図示を省略してある。
【００１３】
図１（ａ）および図２（ａ）、（ｂ）に示すように、電解コンデンサ１では、陽極箔２１と陰極箔２２とをセパレータ２３を介して巻回したコンデンサ素子２が用いられており、このコンデンサ素子２は、電解液が含浸された状態でコンデンサケース３に収納されている。
コンデンサケース３は、有底筒状のアルミニウムケースであり、その開口部３０には、コンデンサケース３に対するカーリング加工により封口端子板５が固定されている。
なお、コンデンサケース３と封口端子板５との間にはＯリング２８が配置されている。また、コンデンサケース３の底部３１には、固定用のねじ軸４が固定され、コンデンサケース３の内部にはポリプロプレン等の素子固定材２０が充填されている。
【００１４】
封口端子板５は、コンデンサケース３の開口部３０を塞ぐ円盤状の絶縁板５０と、この絶縁板５０に固着された２本の端子５１、５２とを備えている。絶縁板５０は、ＰＰ（ポリプロピレン）、ＰＰＳ（ポリフェニレンスルフィド）、ＰＯＭ（ポリオキシメチレン）等の樹脂板であり、端子５１、５２は、アルミニウムや鉄等からなる。
２本の端子５１、５２のうち、一方の端子５１は、陽極用であり、内側端部５１２には、陽極箔２１から引き出されたリードタブ２５（リード部材）が加締や溶接等の方法で接続されている。また、陰極用の端子５２には、内側端部５２２に、陰極箔２２から引き出されたリードタブ２６（リード部材）が加締や溶接等の方法で接続されている。
このような端子５１、５２とリードタブ２５、２６との接続部分は、コーティング材２９で覆われている。端子５１、５２は、上下方向の略中央部分で拡径したフランジ部を有しており、絶縁板５０における端子５１、５２に対する固定強度や気密性等を高めている。なお、絶縁板５０には防爆弁等が形成されているが、図示を省略してある。
【００１５】
（封口端子板の構成）
図１（ａ）、（ｂ）および図２（ａ）、（ｂ）に示すように、本形態の電解コンデンサ１において、封口端子板５では、絶縁板５０の上面に、端子５１、５２の外側端部５１１、５２１と同一の高さ位置まで突出した突部５０１が形成されている。
ここで、突部５０１は、２本の端子５１、５２が形成されている位置を含む略菱形領域にわたって形成されている。このため、端子５１、５２は、絶縁板５０に対して突部５０１の形成領域に固着され、端子５１、５２の上面は、突部５０１の上面で露出している。従って、端子５１、５２は、外側端部５１１、５２１の上面、および内側端部５１２、５２２を除く略全体が絶縁板５０に埋め込まれた状態にある。
なお、端子５１、５２の上面には、バスバー等をねじ固定するためのねじ穴５１０、５２０が形成されている。
【００１６】
（電源装置の構成）
図３（ａ）、（ｂ）、（ｃ）は、本発明を適用した電解コンデンサを用いたコンデンサバンク（電源装置）の構成を示す平面図、側面図および底面図である。
【００１７】
本形態の電解コンデンサ１を複数、用いてコンデンサバンク等の電源装置を構成する場合には、まず、図３（ａ）、（ｂ）、（ｃ）に示すように、下側シャーシ６１の穴に対して、電解コンデンサ１の底部に形成したねじ軸４を貫通させた後、ねじ軸４にナット６１０を止める。その結果、電解コンデンサ１は、下側シャーシ６１上で直立した状態に固定される。
【００１８】
次に、電解コンデンサ１の上面側において、陰極用の共通のバスバー６２（配電部材）を各電解コンデンサ１の陰極側の端子５２（図１参照）の上面に重ね、この状態で、ねじ６２０によって、端子５２とバスバー６２とを固定する。
【００１９】
また、電解コンデンサ１の上面側において、陽極用の個別のバスバー６３を各電解コンデンサ１の陽極側の端子５１（図１参照）の上面に重ね、この状態で、ねじ６３０によって、端子５１とバスバー６３とを固定する。
【００２０】
（本形態の主な効果）
このように電源装置を製造した状態において、封口端子板５では、絶縁板５０の上面に、端子５１、５２の外側端部５１１、５２１と同一の高さ位置まで突出する突部５０１が形成されているので、端子５１、５２の上面にバスバー６２、６３を重ね、端子５１、５２とバスバー６２、６３をねじ６２０、６３０で止めた状態で絶縁板５０の突部５０１の上面もバスバー６２、６３と面接触した状態となる。
このため、バスバー６２、６３を介して端子５１、５２に振動が伝わった際、または電解コンデンサ１が振動した際、振動が絶縁板５０の突部５０１にも伝わる。すなわち、電解コンデンサ１とバスバー６２、６３との接触面積が広いので、端子５１、５２に直接、伝わる振動が緩和される。しかも、本形態では、端子５１、５２は、外側端部５１１、５２１の上面、および内側端部５１２、５２２を除く略全体が絶縁板５０に埋め込まれた状態にあるので、端子５１、５２に直接、伝わる振動がより緩和され、端子５１、５２の内側端部５１２、５２２とリードタブ２５、２６との接続部分、またはリードタブ２５、２６自身に金属疲労が発生せず、断線をより確実に防止することができる。
【００２１】
［その他の実施の形態］
上記実施の形態では、平面形状が略菱形の突部５０１の両端部に２本の端子５１、５２が各々、位置する構成であったが、図４（ａ）に示すように、平面形状が矩形の突部５０１に両端部に２本の端子５１、５２が各々、位置する構成を採用してもよい。
また、図４（ｂ）に示すように、２本の端子５１、５２の各々に、平面形状が矩形の突部５０１を形成してもよい。この場合も、突部５０１の平面形状については矩形や菱形に限らず、図４（ｃ）に示すように、外周形状が円弧状の突部５０１が２本の端子５１、５２の各々に対して形成されている構成を採用してもよい。
【００２２】
［耐振性能の評価結果］
図１（ａ）、（ｂ）による本発明に係る封口端子板５を用いた電解コンデンサ１と、図４（ｃ）による本発明に係る封口端子板５を用いた電解コンデンサ１と、図５（ａ）、（ｂ）に示した従来の封口端子板５を用いた電解コンデンサ１の各々について、振動を加えて、電解コンデンサ１の耐振性能を評価した。
その結果、図１（ａ）、（ｂ）による本発明に係る封口端子板５を用いた電解コンデンサ１では、リードタブ２５、２６に断線が発生せず、特性変化もみられなかった。
また、図４（ｃ）に示した本発明に係る封口端子板５を用いた電解コンデンサ１でも、リードタブ２５、２６に断線が発生せず、特性変化もみられなかった。
但し、図１（ａ）、（ｂ）による封口端子板５を用いた電解コンデンサ１と、図４（ｃ）に示した封口端子板５を用いた電解コンデンサ１とに対して、過大な振動を印加した際のリードタブの断線発生率や電気的特性の変化等の耐振性能を比較した結果、図１（ａ）、（ｂ）による封口端子板５を用いた電解コンデンサ１の方が、図４（ｃ）に示した封口端子板５を用いた電解コンデンサ１に比較して、リードタブの断線発生率や電気的特性の変化の面で耐振性能が優れているという結果が得られた。
【００２３】
これに対して、図５（ａ）、（ｂ）に示した従来の封口端子板５を用いた電解コンデンサ１では、振動によりリードタブ２６が断線し、オープン状態が発生した。
【００２４】
［その他の実施の形態］
上記形態では、端子５１、５２が突部５０１の上面で露出している構成を採用したが、突部５０１が端子５１、５２から離れた位置で、端子５１、５２の上面と同一の高さ位置まで突出している構成を採用してもよい。このように構成した場合も、絶縁板５０の突部５０１の上面とバスバー６２、６３とが面接触した状態となり、電解コンデンサ１とバスバー６２、６３との接触面積が広い。それ故、端子５１、５２に直接、伝わる振動を緩和することができる。
【００２５】
なお、本発明は電解コンデンサに限定されるものではなく、フィルムコンデンサ、電気二重層コンデンサ電池等ねじ穴を備えた端子を有する電子部品に用いても同様の効果が得られることはいうまでもない。
さらに、本発明の電源装置としてコンデンサバンクについて述べたが、本発明はこれに限定されるものではなく、インバータ回路を有する電源装置における平滑用コンデンサの接続等に用いることができることはいうまでもない。
【図面の簡単な説明】
【００２６】
【図１】（ａ）、（ｂ）は、本発明を適用した電解コンデンサの部分断面図、およびこの電解コンデンサに用いた封口端子板の側面形状および平面形状を示す説明図である。
【図２】（ａ）、（ｂ）は、電解コンデンサに用いたコンデンサ素子の説明図、およびその組み立て方法を示す説明図である。
【図３】（ａ）、（ｂ）、（ｃ）は、本発明を適用した電解コンデンサを用いたコンデンサバンク（電源装置）の構成を示す平面図、側面図および底面図である。
【図４】（ａ）、（ｂ）、（ｃ）は、本発明を適用した別の電解コンデンサに用いた封口端子板の側面形状および平面形状を示す説明図である。
【図５】（ａ）、（ｂ）は、従来の電解コンデンサの部分断面図、およびこの電解コンデンサに用いた封口端子板の側面形状および平面形状を示す説明図である。
【符号の説明】
【００２７】
１  電解コンデンサ
２  コンデンサ素子
３  コンデンサケース
４  ねじ軸
５  封口端子板
２１  陽極箔
２２  陰極箔
２３  セパレータ
２５、２６  リードタブ
２８  ０リング
２９  コーティング材
５０  絶縁板
５１、５２  端子
６１  下側シャーシ
６２、６３  バスバー（配電部材）
５０１  突部
５１０、５２０  ねじ穴
５１１、５２１  端子の外側端部
５１２、５２２  端子の内側端部
６１０  ナット
６２０、６３０  ねじ
【図１】
2008010494.tif 000003
【図２】
2008010494.tif 000004
【図３】
2008010494.tif 000005
【図４】
2008010494.tif 000006
【図５】
2008010494.tif 000007